(57)【要約】【課題】  器具本体周囲の音量により人の存在有無を判断して風量モードを変更するミスト発生装置を提供する。【解決手段】  ミスト運転が開始された後に静音ボタン３２が操作されたと判断したら、マイク２７で検知された１０秒間の平均音量に基づいて駆動モータ１４の回転数を変化させ所定の風量に切り替えるので、平均音量が４５ｄB未満であり比較的静かであれば風量を強に切り替え、多くのミストを含んだ加湿空気を部屋内へ放出して部屋内のミスト量を増加させることができ、平均音量が５０ｄB以上であり日常生活レベルの音が発生していれば風量を弱に切り替え、器具本体１から発生する音を減少させてテレビやオーディオ機器の視聴や会話が阻害される事態を防止できる。【選択図】  図８
2016041210.tif 000002
【特許請求の範囲】
【請求項１】
器具本体と、該器具本体内に設置され水を貯水する貯水室と、該貯水室内の水を揚水する回転体と、該回転体で揚水された水を破砕してミストを発生させるミスト発生部と、該ミスト発生部で発生したミストを含んだ加湿空気を送風する送風ファンと、前記回転体と前記送風ファンとを回転駆動させる駆動モータと、該駆動モータの回転数を調節して送風口からミストを含んだ加湿空気を送風するミスト運転を実施する制御部とを備え、前記器具本体周囲の音を集音するマイクと、該マイクで集音した音の音量を算出する音算出手段と、該音算出手段での算出値に基づき人の存在有無を判断する人判断手段とを設置し、前記制御部は、前記人判断手段で前記器具本体の周囲に人が存在しないと判断したら前記駆動モータの回転数を上昇させ、前記人判断手段で前記器具本体の周囲に人が存在すると判断したら前記駆動モータの回転数を低下させることを特徴とするミスト発生装置。
【請求項２】
前記制御部は、所定のモードが設定された時にのみ前記人判断手段での判断結果に基づいて前記駆動モータの回転数を変化させることを特徴とする請求項１記載のミスト発生装置。
【請求項３】
前記器具本体周囲の照度を検知する照度センサと、該照度センサで検知された照度を算出する照度算出手段とを設置し、前記制御部は、前記音量算出手段での算出値と前記照度算出手段での算出値とに基づいて前記人判断手段で前記器具本体の周囲に人が存在しないと判断したら前記駆動モータの回転数を上昇させ、前記人判断手段で前記器具本体の周囲に人が存在すると判断したら前記駆動モータの回転数を低下させることを特徴とする請求項１または２記載のミスト発生装置。
【発明の詳細な説明】
【技術分野】
【０００１】
この発明は、タンク内の水をタンク下方にある給水室へ供給するミスト発生装置に関するものである。
【背景技術】
【０００２】
従来、この種のものにおいて、器具本体内の貯水室の水を回転体で揚水し、揚水した水をミスト発生部で破砕することでミストを発生させ、送風ファンにより室内にミストを含む加湿空気を送風するミスト運転を行うミスト発生装置があり、器具本体に備えられた風量ボタンを使用者が操作することで回転体及び送風ファンの回転数を変化させ、最適な風量モードでのミスト運転を可能としたものがあった。（例えば、特許文献１）
【先行技術文献】
【特許文献】
【０００３】
【特許文献１】特開２０１２−１２７５８９号公報
【発明の概要】
【発明が解決しようとする課題】
【０００４】
しかし、この従来のものでは、ミスト発生装置が設置された部屋内でテレビやオーディオ機器等を視聴する時や家族や友人と会話をする時にミスト運転が実施され、特に最大の風量モードでのミスト運転では回転体及び送風ファンの駆動音が大きいため、テレビやオーディオ機器等の視聴や家族や友人との会話が阻害されてしまうことから、改善の余地があった。
【課題を解決するための手段】
【０００５】
上記課題を解決するために、本発明の請求項１では、器具本体と、該器具本体内に設置され水を貯水する貯水室と、該貯水室内の水を揚水する回転体と、該回転体で揚水された水を破砕してミストを発生させるミスト発生部と、該ミスト発生部で発生したミストを含んだ加湿空気を送風する送風ファンと、前記回転体と前記送風ファンとを回転駆動させる駆動モータと、該駆動モータの回転数を調節して送風口からミストを含んだ加湿空気を送風するミスト運転を実施する制御部とを備え、前記器具本体周囲の音を集音するマイクと、該マイクで集音した音の音量を算出する音算出手段と、該音算出手段での算出値に基づき人の存在有無を判断する人判断手段とを設置し、前記制御部は、前記人判断手段で前記器具本体の周囲に人が存在しないと判断したら前記駆動モータの回転数を上昇させ、前記人判断手段で前記器具本体の周囲に人が存在すると判断したら前記駆動モータの回転数を低下させることを特徴としている。
【０００６】
また、請求項２では、前記制御部は、所定のモードが設定された時にのみ前記人判断手段での判断結果に基づいて前記駆動モータの回転数を変化させることを特徴としている。
【０００７】
また、請求項３では、前記器具本体周囲の照度を検知する照度センサと、該照度センサで検知された照度を算出する照度算出手段とを設置し、前記制御部は、前記音量算出手段での算出値と前記照度算出手段での算出値とに基づいて前記人判断手段で前記器具本体の周囲に人が存在しないと判断したら前記駆動モータの回転数を上昇させ、前記人判断手段で前記器具本体の周囲に人が存在すると判断したら前記駆動モータの回転数を低下させることを特徴としている。
【発明の効果】
【０００８】
この発明によれば、器具本体周囲の音を集音するマイクと、該マイクで集音した音の音量を算出する音算出手段と、該音算出手段での算出値に基づき人の存在有無を判断する人判断手段とを設置し、人判断手段で器具本体の周囲に人が存在しないと判断したら駆動モータの回転数を上昇させ、人判断手段で器具本体の周囲に人が存在すると判断したら駆動モータの回転数を低下させるので、器具本体が設置された部屋内で使用者がテレビやオーディオ機器等の視聴や家族や友人と会話をしていないと判断したら駆動モータの回転数を増加させ部屋内のミスト量を増やし、テレビやオーディオ機器の視聴や家族や友人との会話をしていると判断したら駆動モータの回転数を減少させテレビやオーディオ機器等の視聴や家族、友人との会話が阻害される事態を防止することが可能となる。
【０００９】
また、所定のモードが設定された時にのみ人判断手段での判断結果に基づいて駆動モータの回転数を変化させるので、周囲の音量によって駆動モータの回転数を変化させる制御を使用者が望む時にのみ実施されるため、使い勝手が向上する。
【００１０】
また、器具本体に照度を検知する照度センサと、該照度センサで検知された照度を算出する照度算出手段とを設置し、音量算出手段での算出値と照度算出手段での算出値とに基づいて人判断手段で器具本体の周囲に人が存在しないと判断したら駆動モータの回転数を上昇させ、人判断手段で器具本体の周囲に人が存在すると判断したら駆動モータの回転数を低下させるので、器具本体の周囲の人の存在有無を音量と照度で確実に判断可能となるため、駆動モータの回転数を変化させて器具本体から発生する音によりテレビやオーディオ機器等の視聴や家族、友人との会話が阻害される事態を確実に防止可能となる。
【図面の簡単な説明】
【００１１】
【図１】この発明の第１実施形態のミスト発生装置を示す斜視図
【図２】同第１実施形態の概略構成図
【図３】同第１実施形態の制御ブロック図
【図４】同第１実施形態の操作部を説明する図
【図５】この発明の第２実施形態のミスト発生装置を示す斜視図
【図６】同第２実施形態の制御ブロック図
【図７】同第２実施形態の音量と照度による風量の切り替えを説明する図
【図８】第１実施形態の風量切替を説明するフローチャート
【図９】第２実施形態の風量切替を説明するフローチャート
【発明を実施するための形態】
【００１２】
次に、本発明の第１実施形態におけるミスト発生装置を図１から４に基づき説明する。
１は室内の空気清浄や加湿を行う器具本体で、中央部には吸引口２から吸引された室内空気を中央で回転駆動するシロッコファンからなる送風ファン３へ案内する円筒状の案内筒４が備えられている。
【００１３】
５は前記案内筒４を覆った処理室、６は該処理室５の下部に設けられた貯水室であり、該貯水室６は、タンク７のキャップ８が装着可能なタンク装着部９を備えた給水室１０と通水路１１を介して連通しており、タンク７の高さ方向の落差で水を供給することで貯水室６内が常時一定水位に保たれる。また、１２は給水室１０内に設けられ、貯水室６及び給水室１０に一定水位以上の貯水があるとき水位有りを検知するフロートセンサである。
【００１４】
１３は貯水室６の貯水に下部を水没させ、駆動モータ１４により回転可能な駆動軸１５に送風ファン３と共に軸支された筒状の回転体であり、この回転体１３は中空逆円錐形で上方に向かって径が徐々に拡大するものであり、回転体１３が回転することによる遠心力で貯水室６の水を回転体１３の外壁および内壁を伝わせて揚水し、回転体１３の外壁を伝わせて揚水した水を周囲に飛散させると共に、回転体１３の内壁を伝わせて揚水した水を回転体１３の上端に形成された複数の図示しない飛散口から周囲に飛散させる。
【００１５】
１６は回転体１３の上部外周に所定間隔を保持して位置し回転体１３と共に回転する円筒状の多孔体で、この多孔体１６にはその全周壁に多数のスリットや金網やパンチングメタル等から成るミスト発生部としての多孔部１７が形成されいる。
【００１６】
前記駆動モータ１４を駆動させ、回転体１３を回転させることで発生する遠心力で貯水室６内の水を揚水すると共に空気を飛散させ、多孔部１７を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００１７】
１８は貯水室６の底部に備えられ貯水室６内の水を加熱する加熱ヒータであり、風量モードが強風に設定されると、貯水室６内の貯水温度を設定温度の３８℃前後に、風量モードが弱風に設定されると、貯水室６内の貯水温度を設定温度の３４℃前後に加熱保温して吹き出し温度を３０℃程度に保持するものであり、貯水室６の底部に設置され貯水室６内の水の温度を検知する温度センサ１９の検知温度によって、加熱ヒータ１８がＯＮ／ＯＦＦされて所定温度に保持するもので、加熱ヒータ１８を強制的にＯＦＦにして貯水室６内の水を加温しないモードも設定可能としている。
【００１８】
２０は回転体１３と多孔体１６との回転により発生したナノメートルサイズのミスト及びマイナスイオンを含む加湿空気を送風ファン３を駆動させることで処理室５の上部方向へ案内する流通路、２１は器具本体１の天面の前面側に形成され前記流通路２０を流通する加湿空気を室内へ送風する送風口であり、流通路２０を上昇した加湿空気が送風口２１からルーバー２２の角度に沿った方向へ送風される。
【００１９】
２３は貯水室６と連通している通水路１１に備えられた排水弁で、タンク７から給水室１０へ水が供給された状態では閉弁状態に切り替わることで貯水室６内の残水の排水を確実に阻止し、タンク７から給水室１０への水の供給が停止されると開弁が可能な状態に切り替わることで、タンク７を抜かずとも貯水室６及び給水室１０内の水のみを排水することができる。
【００２０】
２４は貯水室６内の残水の排水を受ける上面開放の排水トレーで、器具本体１内に出し入れ自在に備えられ、その容積は貯水室６の残水を十分に収容できる大きさとしているものである。
【００２１】
２５は駆動軸１８が貫通した貯水室６に備えられ駆動軸１８と回転体１３との接続箇所を固定するナットであり、該ナット２５を回転させて取り外し、回転体１３を器具本体１内から取り出すことで貯水室６内の掃除を可能とする。
【００２２】
２６は貯水室６の底面と一体に形成されタンク装着部９にタンク７を装着した時にキャップ８に備えられた図示しない弁体が当接する当接部であり、タンク７をタンク装着部９に装着すると当接部２６により弁体が押し上げられ、タンク７内の水を給水室１０内に供給することが可能となる。
【００２３】
２７は器具本体１の側面に設置され周囲で発生した音を集音するマイクであり、器具本体１の周囲５ｍ四方で発生した音について集音可能である。
【００２４】
２８は器具本体１の前面に備えられ複数のボタンが設置された操作部であり、この操作部２８には、駆動モータ１４を駆動させて送風ファン３及び回転体１３を回転駆動させ、部屋内にミストを含んだ加湿空気を送風するミスト運転を開始する運転ボタン２９と、駆動モータ１４の回転数を変化させて送風口２１からの送風量を変化させる風量モードを切り替える風量ボタン３０と、加熱ヒータ１８によって所定温度まで高めた貯水室６内の水を破砕する温ミスト運転を実施する温ミストボタン３１と、前記マイク２７で検知した音の音量に基づいて駆動モータ１４の回転数を変化させる所定のモードである静音モードの設定が可能な静音ボタン３２とが備えられており、各ボタンが操作されたら、各ボタンの上部に設置された所定のランプを点灯させる。
【００２５】
ここで、風量ボタン３０で設定可能な風量モードの種類と駆動モータ１４の回転数について説明すると、風量ボタン３０において３つの異なる風量モードを選択することが可能であり、駆動モータ１４を２０００ｒｐｍで回転駆動させる最も風量が強い強風と、駆動モータ１４を１２００ｒｐｍで回転駆動させる標準風量の中風と、駆動モータ１４を９００ｒｐｍで回転駆動させる最も風量が弱い弱風とに、風量ボタン３０を順次押圧することで設定可能となっており、風量モードが設定されたら操作部２８上にある各風量モードのランプの中で設定された風量モードが点灯することで、使用者が現在の風量を視覚的に知ることができる。
【００２６】
また、各風量モードにおいて器具本体１から発生する平均的な運転音量は、強風で約４３ｄＢ、中風で約３８ｄＢ、弱風で約３２ｄＢであり、ミスト運転中に設定された各風量モードで発生する音量と同等の数値をマイク２７で集音している。
【００２７】
３３は前記操作部２８からの入力信号や温度センサ１９及びフロートセンサ１２の検知信号を受けて加熱ヒータ１８及び駆動モータ１４の動作を制御する制御部であり、この制御部３３には、ミスト運転時に設定温度となるよう加熱ヒータ１８の出力を制御するヒータ制御手段３４と、ミスト運転時の送風量の強弱によって変化する設定風量となるよう駆動モータ１４の出力を制御するモータ制御手段３５と、ミスト運転中にフロートセンサ１２が水位無しを検知した場合、前記操作部２８に設置された給水ランプ３６を点灯させてミスト運転を停止しエラーを報知するエラー停止手段３７と、前記マイク２７で集音した音の１０秒間における平均音量を算出する音量算出手段３８と、該音量算出手段３８で算出された平均音量から器具本体１周囲でテレビやオーディオ機器等を視聴したり、家族や友人と会話して団らんした状態かを判断する人判断手段３９とが備えられている。
【００２８】
次に、第１実施形態におけるミスト運転時の制御について図８のフローチャートに基づいて説明する。
まず、操作部２８の運転ボタン２９が操作され運転ON状態であれば、制御部３３は、静音ボタン３２が操作され静音モードに切り替わっているか判断し（ステップS１０１）、静音モードに切り替わっていると判断したら、マイク２７での器具本体１周囲の集音を開始する（ステップS１０２）。
【００２９】
前記ステップS１０２でマイク２７による器具本体１周囲の集音を開始したら、制御部３３は、マイク２７での集音を開始してから１０秒経過したか判断し（ステップＳ１０３）、１０秒経過したと判断したら音量算出手段３８でマイク２７で集音された音の１０秒間の平均音量を算出し、算出された平均音量が４５ｄB未満か人判断手段３９で判断して（ステップS１０４）、音量が４５ｄB未満だと判断したら器具本体１の周囲で使用者がテレビやオーディオ機器の視聴したり、家族や友人等との会話をした状態ではないと判断して風量を強風に切り替え（ステップS１０５）、駆動モータ１４の回転数を２０００ｒｐｍに設定する。また、前記ステップＳ１０３でマイク２７での集音を開始してから１０秒経過していないと判断したら、ステップＳ１０３の判断を繰り返す。
【００３０】
前記ステップS１０４で平均音量が４５ｄB未満ではないと判断したら、制御部３３は、算出された平均音量が５０ｄB以上か人判断手段３９で判断し（ステップS１０６）、平均音量が５０ｄB以上だと判断したら器具本体１の周囲で使用者がテレビやオーディオ機器の視聴したり、家族や友人等との会話をした状態だと判断して現在の風量を弱風に切り替え（ステップS１０７）、駆動モータ１４の回転数を９００ｒｐｍに設定する。
【００３１】
ステップS１０６で平均音量が５０ｄB以上ではないと判断したら、制御部３３は、静音ボタン３２を操作しマイク２７での集音動作が初回であれば風量を強風に設定し、２回目以降であれば現在設定されている風量でのミスト運転を継続する（ステップS１０７）。
【００３２】
ステップS１０１で静音ボタン３２が操作されておらず静音モードに切り替わっていないと判断されたか、ステップS１０５、ステップS１０７及びステップS１０８で所定の風量に設定したら、制御部３３は、操作部２８の運転ボタン２９が操作されたかなんらかのエラーが発生した等してミスト運転の停止指示があったか判断し（ステップS１０９）、ミスト運転の停止指示があったと判断したら、駆動モータ１４や加熱ヒータ１８の駆動を停止させてミスト運転を終了し、ミスト運転の停止指示がないと判断したら、再度ステップS１０１で静音ボタン３２が操作されたか判断する。
【００３３】
なお、ステップS１０４及びステップS１０６で算出された平均音量により風量を切り替える時、現在の風量が切り替え後の風量と同一であると判断したら、制御部３３は、現在の風量での運転を継続することで器具本体１周囲の音量に適したミスト運転が実施される。
【００３４】
また、ステップＳ１０１で静音ボタン３２が操作されていなかった場合、制御部３３は、前回のミスト運転停止時における風量モードの風量となるよう駆動モータ１４の回転数を調節し、風量ボタン３０や温ミストボタン３１が操作されたら、操作内容に従って風量モードを変化させ加熱ヒータ１８のＯＮ／ＯＦＦ状態を切り替えたミスト運転を実施してからステップＳ１０９へ進んでミスト運転の停止指示があったか判断する。
【００３５】
以上のように、ミスト運転が開始された後に静音ボタン３２が操作されたと判断したら、マイク２７で検知された音の１０秒間の平均音量に基づいて駆動モータ１４の回転数を変化させ所定の風量に切り替えるので、平均音量が４５ｄB未満であり比較的静かであれば、器具本体１の周囲でテレビやオーディオ機器の視聴や家族、友人との会話がされた状態ではないと判断して風量を強に切り替え、多くのミストを含んだ加湿空気を部屋内へ放出して部屋内のミスト量を増加させることができ、平均音量が５０ｄB以上であり日常生活レベルの音が発生していれば、器具本体１の周囲でテレビやオーディオ機器等の視聴や家族、友人との会話がされた状態だと判断して風量を弱に切り替え、器具本体１から発生する音を減少させてテレビやオーディオ機器の視聴や会話が阻害される事態を防止することができる。
【００３６】
また、器具本体１の周囲３６０°についてマイク２７での集音動作でテレビやオーディオ機器等を視聴したり、家族や友人と会話して団らんした状態かを判断することが可能なことから、器具本体１の設置位置に依らず確実に器具本体１の周囲の状態を判断することが可能であり使い勝手がよい。
【００３７】
次に、本発明の第２実施形態の構成について第１実施形態と同一の構造については説明を省略し、相違する構成についてのみ図５、６に基づいて説明する。
４０は器具本体１の上面に設置され周囲の照度を検知する照度センサであり、該照度センサ４０で検知された照度の１０秒間の平均値を照度算出手段４１で算出する。
【００３８】
次に、第２実施形態のミスト運転時の制御について図９のフローチャートに基づいて説明する。
まず、操作部２８の運転ボタン２９が操作され運転ON状態であれば、制御部３３は、静音ボタン３２が操作され静音モードに切り替わっているか判断し（ステップS２０１）、静音モードに切り替わっていると判断したら、マイク２７での器具本体１周囲の集音及び照度センサ４０での器具本体１周囲の照度検知を開始する（ステップS２０２）。
【００３９】
前記ステップＳ２０２でマイク２７での集音と照度センサ４０での照度検知を開始したら、制御部３３は、マイク２７での集音と照度センサ４０での照度検知を開始してから１０秒経過したか判断し（ステップＳ２０３）、１０秒経過していれば、音量算出手段３８で算出した１０秒間の平均音量と照度算出手段４１で算出した１０秒間の平均照度の結果を図７のマトリクス表に当てはめて人判断手段３９でテレビやオーディオ機器等を視聴したり、家族や友人と会話して団らんした状態かを判断し風量モードを決定する制御を開始して、音量算出手段３８と照度算出手段４１との算出値に基づく風量モードへ切り替えたら次のステップに進む（ステップＳ２０３）。また、前記ステップＳ２０３でマイク２７での集音と照度センサ４０での照度検知を開始してから１０秒経過していなければ、ステップＳ２０３の判断を繰り返す。
【００４０】
ここで、図７のマトリクス表に基づく風量モードの決定方法について説明すると、例えば、音量算出手段３８で算出した平均音量Ｘが４５ｄＢであり、照度算出手段４１で算出した平均照度Ｈが３２ｌｘであれば、音量だけでは器具本体１周囲でテレビやオーディオ機器等を視聴したり、家族や友人と会話して団らんした状態かを正確に判断し難い状態だが、照度が大きく部屋内が明るいことからテレビやオーディオ機器等を視聴したり、家族や友人と会話して団らんした状態だと判断して風量モードを弱に切り替え、また、別の場合として、音量算出手段３８で算出した平均音量Ｘが前記と同様に４５ｄＢであっても、照度算出手段４１で算出した平均照度Ｈが９ｌｘであれば、照度が小さく部屋内が暗いのでテレビやオーディオ機器等を視聴したり、家族や友人と会話して団らんした状態ではないと人判断手段３９が判断して風量モードを強に切り替えることで、器具本体１周囲の状態に関して正確に判断可能となる。
【００４１】
ステップＳ２０１で静音ボタン３２が操作されていないと判断したか、ステップＳ２０３で音量算出手段３８と照度算出手段４１との算出値に基づく風量モードへ切り替えたら、制御部３３は、操作部２８の運転ボタン２９が操作されたか、なんらかのエラーが発生した等してミスト運転の停止指示があったか判断し（ステップS２０５）、ミスト運転の停止指示があったと判断したら、駆動モータ１４や加熱ヒータ１８の駆動を停止させてミスト運転を終了し、ミスト運転の停止指示がないと判断したら、再度ステップS２０１で静音ボタン３２が操作されたか判断する。
【００４２】
以上のように、ミスト運転が開始された後に静音ボタン３２が操作されたと判断したら、音量算出手段３８と照度算出手段４１での算出値に基づいて人判断手段３９がテレビやオーディオ機器等を視聴したり、家族や友人と会話して団らんした状態かを判断して適切な風量モードを切り替えることで、器具本体１周囲のテレビやオーディオ機器等を視聴したり、家族や友人と会話して団らんした状態かをより正確に判断して風量を変化させることができ、また、音量や照度によりテレビやオーディオ機器等を視聴したり、家族や友人と会話して団らんした状態かを判断することから、器具本体１の設置位置から離れた場所でテレビやオーディオ機器等を視聴したり、家族や友人と会話して団らんした状態であっても確実に風量を適切な強度に変化させることができるため、使い勝手が向上する。
【００４３】
また、マイク２７に器具本体１から発生する駆動モータ１４の音等を排除して周囲の音のみを集音するノイズキャンセル機能を追加し、器具本体１周囲の音のみを集音可能な状態にして平均音量と比較する制御であってもよい。
【００４４】
なお、本実施形態では駆動モータ１４の駆動軸１５に送風ファン３と共に回転体１３が軸支され回転駆動する構成で説明したが、送風ファン３と回転体１３とがそれぞれ別の駆動モータで軸支された構成であってもよく、マイク２７で集音された音の音量や照度センサ４０で検知された照度に基づいて、送風ファン３と回転体１３とをそれぞれ所定の回転数に変化させることで、使用者が部屋内にいないと判断した場合はミストを含んだ加湿空気を多量に放出し、使用者が部屋内にいると判断した場合は器具本体１から発生する音を減少させてテレビやオーディオ機器の視聴や会話が阻害される事態を防止することができる。
【００４５】
また、器具本体１の設置場所周辺の音量や照度に基づいて風量モードを変更していることから、器具本体１の設置場所周辺に人が存在していなくても風量が切り替わるため、ミスト運転により発生する音は聞こえるが器具本体１の設置場所から少し離れた位置でテレビやオーディオ機器等を視聴したり、家族や友人と会話して団らんした状態がミスト運転により阻害される事態を防止することができる。
【００４６】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４７】
１    器具本体
３    送風ファン
６    貯水室
１３    回転体
１４    駆動モータ
１７    多孔部
２７    マイク
３３    制御部
３８    音量算出手段
３９    人判断手段
４０    照度センサ
４１    照度算出手段
【図１】
2016041210.tif 000003
【図２】
2016041210.tif 000004
【図３】
2016041210.tif 000005
【図４】
2016041210.tif 000006
【図５】
2016041210.tif 000007
【図６】
2016041210.tif 000008
【図７】
2016041210.tif 000009
【図８】
2016041210.tif 000010
【図９】
2016041210.tif 000011